(57)【要約】【課題】  防草シートの地表面に対する押えを確実にして、強風に晒されても地表面から剥がれにくくするとともに、地表面と防草シートとの間での雑草の発生を抑制し、更には、孔が外気に露出しないようにして孔からの雑草の発生を抑制し、防草効果の向上を図る。【解決手段】  地表面Ｇに防草シートＢを敷設し、敷設された防草シートＢ上に所要の間隔で互いに離間し地被植物ＣＰの苗Ｎａの集合体Ｎを植付ける複数の植付エリア１を設定し、各植付エリア１に所要の間隔で互いに離間した複数の小孔２を設け、その後、各植付エリア１の上に地被植物ＣＰの苗Ｎａの集合体Ｎを載置し、各植付エリア１の周囲の上に土壌成分２０を敷設した。【選択図】  図７
2013188153.tif 000002
【特許請求の範囲】
【請求項１】
地表面に遮光性の防草シートを敷設して地被植物を植栽する地被植物の植栽方法において、
地表面に上記防草シートを敷設し、該敷設された防草シート上に所要の間隔で互いに離間し地被植物の苗の集合体を植付ける複数の植付エリアを設定し、該各植付エリアに所要の間隔で互いに離間した複数の小孔を設け、その後、該各植付エリアの上に地被植物の苗の集合体を載置することを特徴とする地被植物の植栽方法。
【請求項２】
上記植付エリアに対面する表面を有したベース板と、該ベース板の表面に該表面に対して直角な方向の軸線を有して突設され先端が尖った複数のピンと、上記ベース板の裏面側に設けられる操作杆とを備えて構成した開設工具を用い、上記小孔を上記開設工具の複数のピンを防草シートに突き刺すことにより開設することを特徴とする請求項１記載の地被植物の植栽方法。
【請求項３】
地表面に遮光性の防草シートを敷設して地被植物を植栽する地被植物の植栽方法において、
上記防草シートに予め所要の間隔で互いに離間し地被植物の苗の集合体を植付ける複数の植付エリアを設定し、該各植付エリアに所要の間隔で互いに離間した複数の小孔を設け、それから、地表面に上記防草シートを敷設し、その後、該防草シートの各植付エリアの上に地被植物の苗の集合体を載置することを特徴とする地被植物の植栽方法。
【請求項４】
上記防草シートの植付エリアの上に地被植物の苗の集合体を載せた後、該防草シートの各植付エリアの周囲の上に土壌成分を敷設したことを特徴とする請求項１乃至３何れかに記載の地被植物の植栽方法。
【請求項５】
上記土壌成分は砂で構成されることを特徴とする請求項４記載の地被植物の植栽方法。
【請求項６】
上記各植付エリアを円形状若しくは正多面体形状にしたことを特徴とする請求項１乃至５何れかに記載の地被植物の植栽方法。
【請求項７】
上記各植付エリアの面積Ｓを、２００ｃｍ2 ≦Ｓ≦２５００ｃｍ2 にし、隣接する植付エリア間の間隔Ｌを、２０ｃｍ≦Ｌ≦１０００ｃｍに設定したことを特徴とする請求項１乃至６何れかに記載の地被植物の植栽方法。
【請求項８】
上記植付エリアを行列状に設けたことを特徴とする請求項６記載の地被植物の植栽方法。
【請求項９】
上記植付エリアの小孔の最大幅Ｄを、２ｍｍ≦Ｄ≦２０ｍｍにし、隣接する小孔間の間隔Ｅを、２ｍｍ≦Ｅ≦１００ｍｍに設定したことを特徴とする請求項１乃至８何れかに記載の地被植物の植栽方法。
【請求項１０】
上記小孔を行列状に設けたことを特徴とする請求項９記載の地被植物の植栽方法。
【請求項１１】
上記地被植物の苗の集合体を、上記植付エリアに対応した大きさの板状に形成したことを特徴とする請求項１乃至１０何れかに記載の地被植物の植栽方法。
【請求項１２】
上記防草シートを、生分解性の材料で形成したことを特徴とする請求項１乃至１１何れかに記載の地被植物の植栽方法。
【発明の詳細な説明】
【技術分野】
【０００１】
本発明は、平地や法面等の地表面を覆う地被植物の植栽方法に係り、特に、防草シートを敷設して雑草の発生を抑制しながら地被植物の確実な植栽を図った地被植物の植栽方法に関する。
【背景技術】
【０００２】
近年、公園，水田の畦畔，庭園，住宅の庭，道路脇，法面等の地表面に地被植物を植栽し、雑草の繁殖を抑えて地盤を安定化させたり美観を良くする目的の緑化が行われている。この地被植物の植栽に際しては、雑草も同時に発生してこようとするので、従来から、防草シートを敷設して雑草の発生を抑制しながら地被植物の方を優先的に成長させるようにしている。
従来、この種の地被植物の植栽方法としては、図８に示すように、例えば、ポリエチレン製の黒色の防草シート１００を用い、地表面Ｇに防草シート１００を敷設し、所要箇所に止めピンＴを打ち込んで地表面Ｇに対して押さえ、それから、防草シート１００の地被植物ＣＰが植付される箇所に切り込みを入れて孔１０１を形成する。あるいは、予め、防草シート１００の地被植物ＣＰが植付される箇所に切り込みを入れて孔１０１を形成し、この防草シート１００を地表面Ｇに敷設する。その後、各孔１０１からこの孔１０１を貫通させて地表面Ｇ内に地被植物ＣＰの苗Ｎａを植付ける。苗Ｎａは集合体Ｎとして例えばセルやポットに入れてそのまま植付けることも行う。これにより、地被植物ＣＰの苗Ｎａが植え付けられた部分以外は黒色の防草シート１００で被覆されることから、光が遮断され、雑草Ｚの発生が抑制される（例えば、特許４０２３７５７号公報（特許文献１）、特許第４３０５５６１号公報（特許文献２）参照）。
【先行技術文献】
【特許文献】
【０００３】
【特許文献１】特許第４０２３７５７号公報
【特許文献２】特許第４３０５５６１号公報
【発明の概要】
【発明が解決しようとする課題】
【０００４】
ところで、上記従来の地被植物の植栽方法においては、防草シート１００を止めピンＴを打ち込んで地表面に対して押さえてはいるものの、止めピンＴの言わば点による押えなので、防草シート１００が強風により捲りあがって、地表面Ｇから剥がれて飛んでいくことがしばしばあり、地表面Ｇの被覆が不確実になっているという問題があった。特に、地表面Ｇが硬い土壌の場合には、止めピンＴが刺さりにくく、止めが不十分になって、強風に弱くなる。また、防草シート１００の押えが不十分になると、地表面Ｇと防草シート１００との間にスペースｅが生じやすくなり、遮光されるとはいっても、このスペースｅにおいてスギナ等の遮光しても発生する雑草Ｚが成長しやすくなる。この場合には、雑草Ｚが防草シート１００を持ち上げてしまい、防草シート１００が波打ち、益々、地被植物ＣＰの苗Ｎａに悪影響を与える。更にまた、防草シート１００に形成した孔１０１（切り込み）は外気に露出することから、雑草Ｚがこの孔１０１から外へ発生しやすく、それだけ防草作用に劣るという問題もある。
【０００５】
本発明は上記の問題点に鑑みて為されたもので、防草シートの地表面に対する押えを確実にして、強風に晒されても地表面から剥がれにくくするとともに、地表面と防草シートとの間での雑草の発生を抑制し、更には、孔が外気に露出しないようにして孔からの雑草の発生を抑制し、防草効果の向上を図った地被植物の植栽方法を提供することを目的とする。
【課題を解決するための手段】
【０００６】
このような目的を達成するための本発明の地被植物の植栽方法は、地表面に遮光性の防草シートを敷設して地被植物を植栽する地被植物の植栽方法において、地表面に上記防草シートを敷設し、該敷設された防草シート上に所要の間隔で互いに離間し地被植物の苗の集合体を植付ける複数の植付エリアを設定し、該各植付エリアに所要の間隔で互いに離間した複数の小孔を設け、その後、該各植付エリアの上に地被植物の苗の集合体を載置する構成としている。尚、防草シートの敷設においては、所要箇所に止めピンを打ち込んで地表面に対して押さえても良い。ここで、小孔とは、防草シートが例えば円形に切除されて形成されるもの、あるいは、防草シートは切除されないが地被植物の根が通過可能な切り込みも含む概念である。
【０００７】
これにより、敷設された防草シートには、所要の間隔で配置された各植付エリアに、地被植物の苗の集合体が載置され、防草シートは地被植物の苗の集合体によって地表面に対して押さえられることになる。そして、地被植物の苗が成長すると、根が小孔から地面内に進入して地面に根付いていき、また、地上部が成長して防草シートを覆っていく。また、防草シートにより、地面が遮光されるので、雑草の発生が抑制される。
この場合、防草シートは、従来のように単に止めピンの言わば点で押えるのに比較して、植付エリアの面で押えられることになるので、それだけ押えが確実になる。このため、防草シートが強風により捲りあがりにくくなり、地表面から剥がれて飛んでいく事態を防止することができ、地表面の被覆を確実にして防草機能を発揮させることができる。また、防草シートの押えが確実になることから、地表面と防草シートとの間にスペースが生じにくくなり、そのため、例えばスギナ等遮光しても発生する雑草も成長しにくくなり、この点でも防草効果の向上を図ることができる。更に、地表面と防草シートとの間に雑草が成長して防草シートを持ち上げ、防草シートが波打つ事態も防止することができ、地被植物の苗に悪影響を与える事態を防止することができる。更にまた、防草シートの植付エリアに形成した小孔は地被植物に覆われて外気に露出しないことから、雑草がこの小孔を通って外へ発生する事態を防止することができ、この点でも、防草効果の向上を図ることができる。
【０００８】
この地被植物の植栽方法においては、必要に応じ、上記植付エリアに対面する表面を有したベース板と、該ベース板の表面の上記複数の小孔に対応した位置に該表面に対して直角な方向の軸線を有して突設され先端が尖った複数のピンと、上記ベース板の裏面側に設けられる操作杆とを備えて構成した開設工具を用い、上記小孔を上記開設工具の複数のピンを防草シートに突き刺すことにより開設する構成としている。これにより、開設工具の操作杆を持って、ベース板の表面を植付エリアに対面させて押し当て、複数のピンを防草シートに突き刺すと、植付エリアに小孔が開設される。この場合、ベース板を植付エリアに押し当てるだけで複数の小孔を一時に形成できるので、小孔を逐一１ずつ開設するのに比較し、作業性が向上させられる。
【０００９】
また、上記の目的を達成するための本発明の別の地被植物の植栽方法は、地表面に遮光性の防草シートを敷設して地被植物を植栽する地被植物の植栽方法において、上記防草シートに予め所要の間隔で互いに離間し地被植物の苗の集合体を植付ける複数の植付エリアを設定し、該各植付エリアに所要の間隔で互いに離間した複数の小孔を設け、それから、地表面に上記防草シートを敷設し、その後、該防草シートの各植付エリアの上に地被植物の苗の集合体を載置する構成としている。防草シートに、予め、小孔を設けておくので、防草シートの敷設後に小孔を開設する作業が不要になり、それだけ、作業性が向上させられる。他の作用，効果は上記と同様である。
【００１０】
そして、必要に応じ、上記防草シートの植付エリアの上に地被植物の苗の集合体を載置した後、該防草シートの各植付エリアの周囲の上に土壌成分を敷設した構成としている。土壌成分は、地被植物の苗が露出するように苗の集合体上に敷設してよい。土壌成分としては、土，砂，木材チップ，枯れ草，堆肥などの肥料等、地被植物が生育可能な土壌の成分となりうるものであれば、どのようなものでも良い。しかし、可能な限り雑草の種子を含まないようにする。
これにより、土壌成分によって、防草シートの植付エリア以外の部分が押えられるので、より一層防草シートの押えが確実になる。防草シートが強風により捲りあがって、地表面から剥がれて飛んでいく事態を確実に防止することができ、地表面の被覆を確実にして防草機能を発揮させることができる。また、防草シートの植付エリア以外の部分が押えられるので、地表面と防草シートとの間のスペースがほとんどなくなり、そのため、例えばスギナ等遮光しても発生する雑草の成長を確実に抑止して、防草効果の向上を図ることができる。更に、地表面と防草シートとの間に雑草が成長して防草シートを持ち上げ、防草シートが波打つ事態も確実に防止することができ、地被植物の苗に悪影響を与える事態を防止することができる。更にまた、例えば、地被植物が匍匐（ほふく）植物の場合には、土壌成分に根を張ることができるので、確実に、地被植物を成長させて地表面を覆うことができるようになる。
【００１１】
この場合、上記土壌成分は砂で構成されることが有効である。砂は比較的重いので、防草シートを確実に押えることができる。
【００１２】
また、必要に応じ、上記各植付エリアを円形状若しくは正多面体形状にした構成としている。植付エリアがその中心から略均等に広がり、この植付エリアが点在することになることから、それだけ、防草シートの押えを確実にすることができるとともに、地被植物が均等に広がって成長しやすくすることができる。また、見栄えも良くなる。
【００１３】
更に、必要に応じ、上記各植付エリアの面積Ｓを、２００ｃｍ2 ≦Ｓ≦２５００ｃｍ2 にし、隣接する植付エリア間の間隔Ｌを、２０ｃｍ≦Ｌ≦１０００ｃｍに設定した構成としている。面積Ｓが２００ｃｍ2 に満たないと防草シートの押えが不十分になり、２５００ｃｍ2 を超えると、地被植物の苗の集合体が大きくなり、取り扱いが煩雑になる。望ましくは、４００ｃｍ2 ≦Ｓ≦９００ｃｍ2 、より望ましくは５００ｃｍ2 ≦Ｓ≦７００ｃｍ2 である。
また、現場の状況等に合わせて、間隔Ｌを決定するが、間隔Ｌが２０ｃｍに満たないと植付の苗の集合体の数が多くなって、載置作業が煩雑になり、１０００ｃｍを超えると、押えが不十分になる。望ましくは、３０ｃｍ≦Ｌ≦２００ｃｍ、より望ましくは４０ｃｍ≦Ｌ≦１００ｃｍである。
【００１４】
更にまた、上記植付エリアを行列状に設けた構成としている。規則的に設けることができ、より一層防草シートの押えを確実にすることができる。また、植付エリアの位置決めを容易に行うことができる。
【００１５】
そしてまた、必要に応じ、上記植付エリアの小孔の最大幅Ｄを、２ｍｍ≦Ｄ≦２０ｍｍにし、隣接する小孔間の間隔Ｅを、２ｍｍ≦Ｅ≦１００ｍｍに設定した構成としている。
小孔の最大幅Ｄが２ｍｍに満たないと、地被植物の根が地面に進入しにくく、２０ｍｍを超えると孔が大きくなりすぎて、雑草が地面側から出易くなって好ましくない。望ましくは、３ｍｍ≦Ｄ≦１５ｍｍ、より望ましくは５ｍｍ≦Ｄ≦１２ｍｍである。
また、小孔間の間隔Ｅが２ｍｍに満たないと、小孔間の防草シートが切れやすくなり好ましくない。１００ｍｍを超えると、間隔が大きくなりすぎて地被植物の根が地面に進入しにくくなり好ましくない。望ましくは、２０ｍｍ≦Ｅ≦８０ｍｍ、より望ましくは３０ｍｍ≦Ｅ≦６０ｍｍである。
【００１６】
また、必要に応じ、上記小孔を行列状に設けた構成としている。規則的に設けることができ、地被植物の根の張りを均一化でき、安定させることができる。また、小孔の形成を容易に行うことができる。
【００１７】
更に、必要に応じ、上記地被植物の苗の集合体を、上記植付エリアに対応した大きさの板状に形成した構成としている。板状にしたので、苗の集合体の製造が容易であり、取り扱いも容易になる。また、植付エリアへの載置を容易に行うことができ、作業性を向上させることができる。
【００１８】
更にまた、必要に応じ、上記防草シートを、生分解性の材料で形成している。例えば、地被植物が、周囲に成長した際に茎から新たな根を出して地面に定着する所謂匍匐（ほふく）植物の場合には、生分解性の防草シートの分解が進行すると、新たに出る根が地面に進入しやすくなり、根を張り易くなり、地被植物の成長を確保して、地表面の被覆を確実にすることができるようになる。
【発明の効果】
【００１９】
本発明によれば、敷設された防草シートには、所要の間隔で配置された各植付エリアに、地被植物の苗の集合体が載置され、防草シートは地被植物の苗の集合体によって地表面に対して押さえられることになる。そのため、従来のように単に止めピンの言わば点で押えるのに比較して、防草シートの押えが確実になるので、防草シートが強風により捲りあがりにくくなり、地表面から剥がれて飛んでいく事態を防止することができ、地表面の被覆を確実にして防草機能を発揮させることができる。また、防草シートの押えが確実になることから、地表面と防草シートとの間にスペースが生じにくくなり、そのため、例えばスギナ等遮光しても発生する雑草も成長しにくくなり、この点でも防草効果の向上を図ることができる。更に、地表面と防草シートとの間に雑草が成長して防草シートを持ち上げ、防草シートが波打つ事態も防止することができ、地被植物の苗に悪影響を与える事態を防止することができる。更にまた、防草シートの植付エリアに形成した小孔は地被植物に覆われて外気に露出しないことから、雑草がこの小孔を通って外へ発生する事態を防止することができ、この点でも、防草効果の向上を図ることができる。
【図面の簡単な説明】
【００２０】
【図１】本発明の実施の形態に係る地被植物の植栽方法において、これが適用される地表面の例を示すとともにこの地表面に防草シートを敷設して各植付エリアの上に地被植物の苗の集合体を載置した状態を示す図である。
【図２】本発明の実施の形態に係る地被植物の植栽方法を示す工程図である。
【図３】本発明の実施の形態に係る地被植物の植栽方法を示し、（ａ）は前処理した地表面を示す図、（ｂ）は防草シートを敷設した状態を示す図、（ｃ）は植付エリアの設定及び小孔開設の状態を示す図である。
【図４】本発明の実施の形態に係る地被植物の植栽方法において、植付エリアの設定状態を示す図である。
【図５】本発明の実施の形態に係る地被植物の植栽方法において、植付エリアの小孔の開設状態を示す図である。
【図６】本発明の実施の形態に係る地被植物の植栽方法において、植付エリアの小孔を開設するための開設工具の一例を示す斜視図である。
【図７】本発明の実施の形態に係る地被植物の植栽方法を示し、（ａ）は防草シートの植付エリアの上に地被植物の苗の集合体を載置した状態を示す図、（ｂ）は植付エリアの周囲の上に土壌成分を敷設した状態を示す図、（ｃ）は地被植物の生育状態を示す図である。
【図８】従来の地被植物の植栽方法の一例を示す図である。
【発明を実施するための形態】
【００２１】
以下、添付図面に基づいて、本発明の実施の形態に係る地被植物の植栽方法について詳細に説明する。
実施の形態に係る地被植物の植栽方法は、図１乃至図７に示すように、地表面Ｇに遮光性の防草シートＢを敷設して地被植物ＣＰを植栽するものである。
地被植物ＣＰとしては、例えば、芝草類、低木類、ツル類、ササ類、草本類、シダ類、コケ類等を挙げることができる。より具体的には、例えば、クリーピングタイム、イブキジャコウソウ、ポテンティラ、アジュガ、ツルマンネングサ、アイビー、グレコマ、リキマキアオーレア、シバザクラ、ワイルドストロベリー、ラミューム、ユキノシタ、サギゴケ、ゲンノウショウコ、ソバ、ヘアリーベッチ、ポーチュラカ、アークトセカ、バーズフットトレフォイル、コンフリー、リュウノヒゲ、タマリュウ、シラン、バーベナ、ギボウシ、コトネアスター、キチジョウソウ、ヘデラへリックス、ヒガンバナ、オキザリス、シュウカイドウ、ダイカンドラ、ツワブキ、ナルコユリ、フッキソウ、ベアグラス、ヤブコウジ、ヤブラン、マツバギク、クローバー、イワダレソウ、ビンカミノール、コグマザサ、ケンタッキーブルーグラス、バミューダグラス、ノシバ、バナナミント、ペニーロイヤル等が挙げられる。これらを混植しても良い。この中でも、所謂匍匐（ほふく）植物は有用である。実施の形態では、比較的背が低く、繁殖力のある耐寒性常緑宿根草の苗Ｎａを集合させて板状の集合体Ｎを構成できる匍匐植物を用いた。日常的に飛散される雑草の種を発芽させないためには、草丈が低くとも地被植物ＣＰの茎や葉が２重、３重に覆いかぶさった状態が必要となる。そのため、草丈の低い繁殖力のある耐寒性常緑宿根草は地被植物ＣＰとして有効になる。
その繁殖力のある耐寒性常緑宿根草の匍匐植物としては、上記のうち、例えば、クリーピングタイム、イブキジャコウソウ、ポテンティラ、アジュガ、ツルマンネングサ、アイビー、グレコマ、リキマキアオーレア、シバザクラ、ワイルドストロベリー、ラミューム、ユキノシタ、サギゴケ、ゲンノウショウコ、タマリュウ、ヘデラへリックス、マツバギク、ビンカミノールが挙げられる。
【００２２】
防草シートＢとしては、特に限定されるものではなく、可撓性、遮光性を有するものであれば、紙，各種の布，各種の不織布，合成樹脂よりなるフィルム等どのようなものでも良い。特に、生分解性材料で形成されているものが、自然に分解，消失するので好ましい。例えば、ポリエチレン、ポリプロピレン、エチレン−酢酸ビニル共重合体、塩化ビニル系樹脂等からなるシートを用いることができる。また、微生物によって分解する、例えば、ポリヒドロキシブチレート、ポリ乳酸系樹脂、ポリカプロラクトン、ポリブチレンサクシネート、ポリエチレンサクシネート、ポリビニルアルコール、酢酸セルロース等を使用した生分解性のシートは有用である。防草シートＢの厚さは、特に限定されるものではないが、例えば、１０〜２００μｍのものが良い。実施の形態では、通気性、透水性のない遮光性の厚さが１８μｍで黒色の生分解シートを用いた。
【００２３】
実施の形態に係る地被植物の植栽方法は、図１に示すように、水路Ｗの左右の地表面Ｇであって、地表面Ｇが平地Ｇ（ａ）及びこれに連続する法面Ｇ（ｂ）の場合に適用される。
実施の形態に係る地被植物の植栽方法は、図２に示す工程図を用い、先ず、地表面Ｇを前処理する（図２中Ｓ１）。この前処理は、図３（ａ）に示すように、雑草，笹や灌木が生えている場合は、草刈り，伐採や除草剤によりこれを除去する。必要により、バックホーなどを用いて整地する。法面Ｇ（ｂ）はその形状を整える。また、必要に応じ、畑の土壌を入れ込む。
【００２４】
次に、図３（ｂ）に示すように、このように整地した地表面Ｇに、黒色の生分解性の防草シートＢを敷設する（図２中Ｓ２）。この防草シートＢの敷設においては、所要箇所に止めピンＴを打ち込んで地表面Ｇに対して押さえる。
それから、図３（ｃ）及び図４に示すように、敷設された防草シートＢ上に所要の間隔で互いに離間し地被植物ＣＰの苗Ｎａの集合体Ｎを植付ける複数の植付エリア１を設定する（図２中Ｓ３）。実施の形態では、植付エリア１を等間隔の行列状に設けた。
詳しくは、各植付エリア１の面積Ｓは、２００ｃｍ2 ≦Ｓ≦２５００ｃｍ2 にした。面積Ｓが２００ｃｍ2 に満たないと防草シートＢの押えが不十分になり、２５００ｃｍ2 を超えると、地被植物ＣＰの苗Ｎａの集合体Ｎが大きくなり、取り扱いが煩雑になる。望ましくは、４００ｃｍ2 ≦Ｓ≦９００ｃｍ2 、より望ましくは５００ｃｍ2 ≦Ｓ≦７００ｃｍ2 である。
実施の形態では、各植付エリア１を円形状若しくは正多面体形状にしている。実施の形態では、一辺の寸法ｍが２５ｃｍの正方形状に設定した。植付エリア１の面積Ｓは、Ｓ＝６２５ｃｍ2 になる。通常のポット苗と比べて約８倍、セル苗と比べて約７０倍の植付面積を確保している。
【００２５】
また、隣接する植付エリア１間の間隔Ｌを、２０ｃｍ≦Ｌ≦１０００ｃｍに設定した。現場の状況等に合わせて、間隔Ｌを決定するが、間隔Ｌが２０ｃｍに満たないと植付の苗Ｎａの集合体Ｎの数が多くなって、載置作業が煩雑になり、１０００ｃｍを超えると、押えが不十分になる。望ましくは、３０ｃｍ≦Ｌ≦２００ｃｍ、より望ましくは４０ｃｍ≦Ｌ≦１００ｃｍである。
実施の形態では、行列状に配置した植付エリア１間のピッチＰａを、Ｐａ＝８０ｃｍに設定した。これにより、左右上下の植付エリア１間の間隔Ｌは、Ｌ＝５５ｃｍとなる。
それによって、植物の種類によって異なるが、一般には地覆が完成するまで約１年半〜２年ほどを要するところ、約半年で地覆を完成することができるようになる。
【００２６】
また、図３（ｃ）及び図５に示すように、各植付エリア１に所要の間隔で互いに離間した複数の小孔２を設けた（図２中Ｓ４）。ここで、小孔２とは、防草シートＢが例えば円形に切除されて形成されるもの、あるいは、防草シートＢは切除されないが地被植物ＣＰの根が通過可能な切り込みも含む概念である。実施の形態では、小孔２を等間隔の行列状に設けた。
詳しくは、植付エリア１の小孔２の最大幅Ｄを、２ｍｍ≦Ｄ≦２０ｍｍにした。小孔２の最大幅Ｄが２ｍｍに満たないと、地被植物ＣＰの根が地面に進入しにくく、２０ｍｍを超えると孔が大きくなりすぎて、雑草が地面側から出易くなって好ましくない。望ましくは、３ｍｍ≦Ｄ≦１５ｍｍ、より望ましくは５ｍｍ≦Ｄ≦１２ｍｍである。
実施の形態では、最大幅Ｄを、Ｄ＝１０ｍｍにした。
【００２７】
また、隣接する小孔２間の間隔Ｅを、２ｍｍ≦Ｅ≦１００ｍｍに設定した。小孔２間の間隔Ｅが２ｍｍに満たないと、小孔２間の防草シートＢが切れやすくなり好ましくない。１００ｍｍを超えると、間隔が大きくなりすぎて地被植物ＣＰの根が地面に進入しにくくなり好ましくない。望ましくは、２０ｍｍ≦Ｅ≦８０ｍｍ、より望ましくは３０ｍｍ≦Ｅ≦６０ｍｍである。
実施の形態では、行列状に配置した小孔２間のピッチＰｂを、Ｐｂ＝５０ｍｍに設定した。これにより、左右上下の小孔２間の間隔Ｅは、Ｅ＝４０ｍｍとなる。
その結果、１つの植付エリア１において、２５個の小孔２が規則的に形成される。
【００２８】
図６に示すように、この小孔２の形成は、開設工具１０を用いて行う。開設工具１０は、植付エリア１に対面する表面を有したベース板１１と、ベース板１１の表面の複数の小孔２に対応した位置に表面に対して直角な方向の軸線を有して突設され先端が尖った複数のピン１２と、ベース板１１の裏面側に設けられる操作杆１３とを備えて構成されている。そして、この開設工具１０を用い、小孔２を開設工具１０の複数のピン１２を防草シートＢに突き刺すことにより開設する。具体的には、開設工具１０の操作杆１３を持って、ベース板１１の表面を植付エリア１に対面させて押し当て、複数のピン１２を防草シートＢに突き刺す。この場合、ベース板１１を植付エリア１に押し当てるだけで複数の小孔２を一時に形成できるので、小孔２を逐一１ずつ開設するのに比較し、作業性を向上させることができる。
【００２９】
次に、図１及び図７（ａ）に示すように、各植付エリア１の上に地被植物ＣＰの苗Ｎａの集合体Ｎを載置する（図２中Ｓ５）。実施の形態では、地被植物ＣＰの苗Ｎａの集合体Ｎは、植付エリア１に対応した大きさ（２５ｃｍ×２５ｃｍ）の板状に形成している。詳しくは、平地用には、シート苗Ｎ（Ａ）を用い、法面用にはマット苗Ｎ（Ｂ）を用いた。シート苗Ｎ（Ａ）は、ビニールシートの上で育成し培養土が付着していない苗Ｎａの集合体Ｎをいい、比較的安価に提供される。また、マット苗Ｎ（Ｂ）は、トレイ（縦２５ｃｍ×横２５ｃｍ×高さ５ｃｍ）で育成され、培養土が付着している苗Ｎａの集合体Ｎをいう。何れも、根同士が絡み合っていて、矩形の形状を保持して搬送が可能になっている。実施の形態では、平地Ｇ（Ａ）においては、先ず、植付エリア１に培養土を敷き、その上に、シート苗Ｎ（Ａ）を載置し、周知の止めピン（図示せず）を差し込んで止着した。また、法面においては、植付エリア１に直接マット苗Ｎ（Ｂ）を載置し、周知の止めピン（図示せず）を差し込んで止着した。この場合、地被植物ＣＰの苗Ｎａの集合体Ｎをシート苗Ｎ（Ａ）やマット苗Ｎ（Ｂ）の板状にしたので、ポット苗、セル苗と比べ根が発達し、茎や葉の充実した強い苗を作ることができ、また、苗Ｎａの集合体Ｎの製造が容易であり、取り扱いも容易になる。また、植付エリア１への載置を容易に行うことができ、作業性を向上させることができる。
【００３０】
その後、図７（ｂ）に示すように、防草シートＢの各植付エリア１の周囲の上に土壌成分２０を敷設した（図２中Ｓ６）。土壌成分２０としては、土，砂，木材チップ，枯れ草，堆肥などの肥料等、地被植物ＣＰが生育可能な土壌の成分となりうるものであれば、どのようなものでも良い。可能な限り雑草の種が含まないようにする。実施の形態では、平地Ｇ（Ａ）には砂を用い、砂を防草シートＢの各植付エリア１の周囲の上に約３０〜５０ｍｍ積層した。また、砂は、地被植物ＣＰの苗Ｎａが露出するように苗Ｎａの集合体Ｎ上にも敷設した。例えば、苗Ｎａの半分程度の高さに砂を敷設する。また、法面Ｇ（Ｂ）においては、完熟堆肥、芝の枯れ草、木質チップ等、傾斜面においてもその摩擦力により滑り落ちない材料を敷設した。
このように、通気性、透水性のない遮光性の黒色生分解シートＢの上に土壌成分２０を敷設することにより、２重のマルチ状態となる。このため、草刈後、残っていた雑草の葉や茎は、光、空気、水分が大きく遮断され光合成ができなくなり、枯死し、良質な有機質堆肥に変化する。
【００３１】
これにより、敷設された防草シートＢには、所要の間隔で配置された各植付エリア１に、地被植物ＣＰの苗Ｎａの集合体Ｎが載置され、防草シートＢは地被植物ＣＰの苗Ｎａの集合体Ｎによって地表面Ｇに対して押さえられることになるとともに、防草シートＢの各植付エリア１の周囲の上に土壌成分２０が敷設され、防草シートＢはこの土壌成分２０によっても地表面Ｇに対して押えられることになる。
そして、一週間程度は、灌水を行って湿潤状態を保ち、育成する。これにより、図７（ｃ）に示すように、地被植物ＣＰの苗Ｎａが成長し、根が小孔２から地面内に進入して地面に根付いていき、安定する。また、地上部が成長して防草シートＢを覆っていく。この場合、匍匐植物においては、周囲に成長した際に茎から新たな根を出すが、土壌成分２０に根を張ることができるので、確実に、地被植物ＣＰを成長させて地表面Ｇを覆うことができるようになる。更に、防草シートＢが生分解性の材料で形成されているので、生分解性の防草シートＢの分解が進行すると、新たに出る根が地面に進入しやすくなり、根を張り易くなり、地被癪物の成長を確保して、地表面Ｇの被覆を確実にすることができるようになる。
【００３２】
この地被植物ＣＰの生育過程においては、防草シートＢにより、地面が遮光されるので、雑草の発生が抑制される。この場合、防草シートＢは、従来と同様の止めピンＴでの押えに加えて、植付エリア１の面で押えられることになるので、それだけ押えが確実になる。加えて、土壌成分２０によっても防草シートＢの植付エリア１以外の部分が押えられるので、より一層防草シートＢの押えが確実になる。この場合、特に、平地Ｇ（Ａ）においては、土壌成分２０は砂で構成され、砂は比較的重いので、防草シートＢを確実に押えることができる。このため、防草シートＢが強風により捲りあがりにくくなり、地表面Ｇから剥がれて飛んでいく事態を防止することができ、地表面Ｇの被覆を確実にして防草機能を発揮させることができる。また、防草シートＢの押えが確実になることから、地表面Ｇと防草シートＢとの間にスペースが生じにくくなり、そのため、例えばスギナ等の遮光しても発生する雑草も成長しにくくなり、この点でも防草効果の向上を図ることができる。更に、地表面Ｇと防草シートＢとの間に雑草が成長して防草シートＢを持ち上げ、防草シートＢが波打つ事態も防止することができ、地被植物ＣＰの苗Ｎａに悪影響を与える事態を防止することができる。更にまた、防草シートＢの植付エリア１に形成した小孔２は地被植物ＣＰに覆われて外気に露出しないことから、雑草がこの小孔２を通って外へ発生する事態を防止することができ、この点でも、防草効果の向上を図ることができる。
【００３３】
また、各植付エリア１を正方形状にしているので、植付エリア１がその中心から略均等に広がり、この植付エリア１が点在することになることから、それだけ、防草シートＢの押えを確実にすることができるとともに、板状の強い苗の地被植物ＣＰが均等に広がって成長しやすくすることができる。また、見栄えも良くなる。
【００３４】
次に、別の実施の形態に係る地被植物の植栽方法を示す。これは、防草シートＢに予め所要の間隔で互いに離間し地被植物ＣＰの苗Ｎａの集合体Ｎを植付ける複数の植付エリア１を設定し、この各植付エリア１に所要の間隔で互いに離間した複数の小孔２を設けておく。そして、この予め小孔２が開設された防草シートＢを地表面Ｇに敷設し、上記と同様に、防草シートＢの各植付エリア１の上に地被植物ＣＰの苗Ｎａの集合体Ｎを載置するとともに、防草シートＢの各植付エリア１の周囲の上に土壌成分２０を敷設する。これによれば、防草シートＢに、予め、小孔２を設けておくので、防草シートＢの敷設後に小孔２を開設する作業が不要になり、それだけ、作業性が向上させられる。他の作用，効果は上記と同様である。
【実施例】
【００３５】
次に実施例について説明する。
（実施例１〜６）
比較的日当たりのよいところで、クリーピングタイム（実施例１）、イブキジャコウソウ（実施例２）、ポテンティラ（実施例３）、アジュガ及びツルマンネングサの混植（実施例４）、アイビー，グレコマ及びリキマキアオーレアの混植（実施例５）、シバザクラ及びクリーピングタイムの混植（実施例６）の各地被植物ＣＰとしての匍匐植物について、夫々、上記の植栽方法により植栽した。何れも、防草シートＢが安定し、雑草の発生の抑制機能が極めてよく発揮され、地被植物ＣＰが地表面をきれいに被覆した。
【００３６】
（実施例７，８）
比較的明るい日陰において、ワイルドストロベリー（実施例７）、ラミューム（実施例８）の各地被植物ＣＰとしての匍匐植物について、夫々、上記の植栽方法により植栽した。何れも、防草シートＢが安定し、雑草の発生の抑制機能が極めてよく発揮され、地被植物ＣＰが地表面をきれいに被覆した。
【００３７】
（実施例９，１０）
日陰において、ユキノシタ（実施例９）、サギゴケ（実施例１０）の各地被植物ＣＰとしての匍匐植物について、夫々、上記の植栽方法により植栽した。何れも、防草シートＢが安定し、雑草の発生の抑制機能が極めてよく発揮され、地被植物ＣＰが地表面をきれいに被覆した。
【００３８】
尚、上記実施の形態において、植付エリア１の形状，面積Ｓや間隔Ｌは上記に限定されるものではなく、適宜変更して差し支えない。また、小孔２の形状，最大幅Ｄや間隔Ｅについても上記に限定されるものではなく、適宜変更して差し支えない。更に、地被植物ＣＰの苗Ｎａの集合体Ｎの形態も、シート苗Ｎ（Ａ）やマット苗Ｎ（Ｂ）の形態に限定されるものではなく、適宜変更して差し支えない。また、地被植物も適宜のものを単独もしくは混合して用いてよいことは勿論である。
【符号の説明】
【００３９】
ＣＰ  地被植物
Ｇ  地表面
Ｇ（Ａ）  平地
Ｇ（Ｂ）  法面
Ｂ  防草シート
Ｔ  止めピン
Ｎａ  苗
Ｎ  苗の集合体
Ｎ（Ａ）  シート苗
Ｎ（Ｂ）  マット苗
１  植付エリア
２  小孔
１０  開設工具
１１  ベース板
１２  ピン
１３  操作杆
２０  土壌成分
【図１】
2013188153.tif 000003
【図２】
2013188153.tif 000004
【図３】
2013188153.tif 000005
【図４】
2013188153.tif 000006
【図５】
2013188153.tif 000007
【図６】
2013188153.tif 000008
【図７】
2013188153.tif 000009
【図８】
2013188153.tif 000010